(57)【要約】【課題】本発明は、車載用マルチメディア端末装置に関するもので、操作性を向上させることを目的とする。【解決手段】  制御部９に時刻情報取得部１２を接続するとともに、この制御部９は、時刻情報取得部１２から取得した時刻に関連付けて、通信部１０を介して接続された携帯情報機器５が保持するアプリケーション情報を時刻対応アプリケーション情報記憶部１１に取り込み、  制御部９は、時刻情報取得部１２から取得した時刻および、アプリケーション情報に基づきアプリケーションを選択し、通信部１０を介して携帯情報機器５に、この選択したアプリケーションを実行するための実行指示をする構成とした。【選択図】図２
2012056418.tif 000002
【特許請求の範囲】
【請求項１】
本体ケースと、この本体ケースの表面側に設けた操作部と、この操作部に接続されるとともに前記本体ケース内に設けた制御部、およびこの制御部に接続された通信部とを備え、
前記制御部に時刻情報取得部を接続するとともに、この制御部は、前記時刻情報取得部から取得した時刻に関連付けて、前記通信部を介して接続された携帯情報機器が保持するアプリケーション情報を時刻対応アプリケーション情報記憶部に取り込み、
前記制御部は、前記時刻情報取得部から取得した時刻、および前記アプリケーション情報に基づきアプリケーションを選択し、前記通信部を介して前記携帯情報機器に、この選択したアプリケーションを実行するための実行指示をする構成とした車載用マルチメディア端末装置。
【請求項２】
前記制御部は、前記時刻情報取得部から取得した時刻情報が前記時刻対応アプリケーション情報記憶部内に該当ありと判断された場合には、この前記時刻対応アプリケーション情報記憶部内に有するアプリケーションの内で選択回数の多いアプリケーションを選択する請求項１に記載の車載用マルチメディア端末装置。
【発明の詳細な説明】
【技術分野】
【０００１】
本発明は、車載用マルチメディア端末装置に関するものである。
【背景技術】
【０００２】
従来のこの種車載用マルチメディア端末装置の構成は以下のような構成となっていた。すなわち、本体ケースと、この本体ケースの表面側に設けた操作部と、この操作部に接続されるとともに前記本体ケース内に設けた制御部と、この制御部に接続された通信部とを備えた構成となっていた。（例えば、特許文献１参照）
【先行技術文献】
【特許文献】
【０００３】
【特許文献１】特開２００３−５０５８９号公報
【発明の概要】
【発明が解決しようとする課題】
【０００４】
前記従来例においては、通信部を介して携帯電話などの複数の携帯機器からコンテンツを集め、それを記憶部に記憶させるような構成になっている。そして、操作部によって、それらを選択的に視聴するようにしている。
【０００５】
しかしながら、このように記憶部に記憶させたコンテンツを選択する操作は、運転時には非常にわずらわしく、操作性の悪いものであった。
【０００６】
本発明は、操作性を向上することを目的とするものである。
【課題を解決するための手段】
【０００７】
上記目的を達成するために本発明は、本体ケースと、この本体ケースの表面側に設けた操作部とこの操作部に接続されるとともに本体ケース内に設けた制御部、およびこの制御部に接続された通信部とを備え、制御部に時刻情報取得部を接続するとともに、この制御部は、時刻情報取得部から取得した時刻に関連付けて、通信部を介して接続された携帯情報機器が保持するアプリケーション情報を時刻対応アプリケーション情報記憶部に取り込み、
制御部は、時刻情報取得部から取得した時刻および、アプリケーション情報に基づきアプリケーションを選択し、通信部を介して携帯情報機器に、この選択したアプリケーションを実行するための実行指示をする構成とし、これにより所期の目的を達成するものである。
【発明の効果】
【０００８】
以上のように本発明は、制御部に、時刻対応アプリケーション情報記憶部と時刻情報取得部を接続するとともに、この制御部は、時刻情報取得部から取得した時刻、および時刻対応アプリケーション情報記憶部に収納されたアプリケーション情報に基づきアプリケーションを選択し、通信部を介して携帯情報機器に、この選択したアプリケーションを実行するための実行指示をする構成としたものであるので、取得した時刻に対応したアプリケーションが選択的に実行されるので、選択をするための操作が不要で、その結果として、操作性が向上するのである。
【図面の簡単な説明】
【０００９】
【図１】本発明の実施の形態１にかかる車載用マルチメディア端末装置の実装形態を示す正面図
【図２】同制御ブロック図
【図３】同動作状態を示す正面図
【図４】同制御フローチャート
【図５】同動作状態を示す正面図
【図６】同動作状態を示す正面図
【図７】同動作状態を示す正面図
【発明を実施するための形態】
【００１０】
以下、本発明の実施の形態における車載用マルチメディア端末装置２について図面を参照しながら説明する。
【００１１】
図１は、自動車の車内を模式的に示したものであって、ハンドル１の右方には、車載用マルチメディア端末装置２が配置されている。この図１は、運転者が左手３と右手４でハンドル１を操作している状態を示しているが、次のタイミングでは、後述する図３から図７で理解されるように、携帯情報機器５を操作しようとするのではなく、車載用マルチメディア端末装置２の操作部６を操作することにより、携帯情報機器５を介して所定のアプリケーションを実行するようにしている。
【００１２】
さて、図２は、車載用マルチメディア端末装置２の具体的な構成を示すものであって、図１に示す本体ケース７と、この本体ケース７の表面側に設けたディスプレイ８と、このディスプレイ８と一体で構成されるタッチパネルなどの操作部６とを有する。さらに、これら操作部６およびディスプレイ８に接続されるとともに本体ケース７内に設けた制御部９と、この制御部９に接続された通信部１０および、時刻対応アプリケーション情報記憶部１１とを備えている。また、制御部９には、例えばカーナビゲーションとして活用される時刻情報取得部１２、およびスピーカ１３が接続されている。
【００１３】
一方、携帯情報機器５は、図２の左側に示すごとく、制御部１４に通信部１５と、ラジオ、テレビ、ビデオプレイヤー、音楽プレイヤー等のアプリケーションを収納したメモリ１６が接続されている。
【００１４】
なお、時刻対応アプリケーション情報記憶部１１は、使用者が上記アプリケーションを使用した頻度や時間などの使用状況の情報を、時刻に対応させて収納している。
【００１５】
このように構成された車載用マルチメディア端末装置２および携帯情報機器５の通信部１０および通信部１５は、Bluetooth（登録商標）通信などの無線通信または有線通信により接続されている。本実施の形態では、Bluetooth（登録商標）通信で接続されているとして説明する。
【００１６】
以上の構成において、以下本実施の形態における動作について、説明する。
【００１７】
図1に示す運転時に、時刻が午前7時であった状態で、車載用マルチメディア端末装置２の電源を入れた状態が図３である。運転者は、右手４でディスプレイ８内に表示されているおまかせに触れることにより操作部６を操作する(図４のＳ１)。なお、操作部６は、タッチパネルではなく機械スイッチであってもよい。
【００１８】
このようにおまかせが操作された場合には、制御部９はこの図４の制御フローに従って制御を実行する。
【００１９】
まず、制御部９は、携帯情報機器５が無線接続されているか否かを判断し、携帯情報機器５が無線接続されていない場合（Ｓ２のＮｏ）、ディスプレイ８に携帯情報機器５が無線接続未であることを表示する（Ｓ１２）。
【００２０】
制御部９は、携帯情報機器５が無線接続されているか否かを判断し、携帯情報機器５が無線接続されている場合（Ｓ２のＹｅｓ）、携帯情報機器５からメモリ１６に収納されたアプリケーション情報（アプリケーション毎の実行可否など）を取得する。そして、時刻情報取得部１２から時刻情報取得されたか否かを判断する。制御部９は、時刻情報取得部１２から時刻情報取得されていないと判断した場合（Ｓ３のＮｏ）、時刻情報取得中の旨をディスプレイ８に表示する（Ｓ１１）。
【００２１】
制御部９は、時刻情報取得部１２から時刻情報取得済と判断した場合（Ｓ３のＹｅｓ）、この使用者は午前７から８時までの間は、インターネットラジオを聴くことが多いため、時刻情報取得部１２から取得した時刻情報が、午前７から８時の間であった場合、Ｓ４でラジオアプリケーションが選択されることになる（Ｓ４のＹｅｓ）。すなわち、時刻対応アプリケーション情報記憶部１１内には、時刻に対応して上述したアプリケーションが使用者に選択された回数が記憶されている。たとえば、午前7時以外に他のアプリケーションを使用していても、おまかせを選択した際には、使用者に選択された回数が最も多いラジオが優先的に選択される（Ｓ５）。その結果、図５に示すようにディスプレイ８には、ラジオアプリケーションが選択されたことが表示されている。一方、このようなおまかせ操作をした時刻が午前１０時だった場合、その時刻においては、ラジオアプリケーションの選択ではなく、他の選択回数の多いアプリケーションが選択される（Ｓ４のＮｏ）。制御部９は、携帯情報機器５内に再生可能アプリケーションがないと判断した場合（Ｓ６のＮｏ）、アプリケーション確認の旨をディスプレイ８に表示する（Ｓ１０）。
【００２２】
制御部９は、携帯情報機器５内に再生可能アプリケーションがあると判断した場合（Ｓ６のＹｅｓ）、図６に示すようにディスプレイ８には、たとえば、音楽プレイヤーが選択されたことが表示されている。
【００２３】
さらに、制御部９は、携帯情報機器５内に音楽プレイヤーで再生可能なコンテンツがないと判断した場合（Ｓ７のＮｏ）、コンテンツ確認の旨をディスプレイ８に表示する（Ｓ９）。
【００２４】
制御部９は、携帯情報機器５内に音楽プレイヤーで再生可能なコンテンツがあると判断した場合（Ｓ７のＹｅｓ）、図７に示すように音楽プレイヤーが実行されている状態が表示されている(Ｓ８)。
【００２５】
以上のごとく本実施形態においては、右手４で車載用マルチメディア端末装置２の操作部６を操作するだけで操作時刻に最も頻繁に視聴していたものを選択的に視聴することができるため、きわめて操作性のよいものとなるものである。
【産業上の利用可能性】
【００２６】
以上のように、本発明の車載用マルチメディア端末装置は、取得した時刻に対応したアプリケーションが選択的に実行されるので、選択をするための操作が不要である。
【００２７】
したがって、車載用として広く活用が期待されるものとなる。
【符号の説明】
【００２８】
１  ハンドル
２  車載用マルチメディア端末装置
３  左手
４  右手
５  携帯情報機器
６  操作部
７  本体ケース
８  ディスプレイ
９  制御部
１０  通信部
１１  時刻対応アプリケーション情報記憶部
１２  時刻情報取得部
１３  スピーカ
１４  制御部
１５  通信部
１６  メモリ
【図１】
2012056418.tif 000003
【図２】
2012056418.tif 000004
【図３】
2012056418.tif 000005
【図４】
2012056418.tif 000006
【図５】
2012056418.tif 000007
【図６】
2012056418.tif 000008
【図７】
2012056418.tif 000009